(57)【要約】      （修正有）【課題】小型高性能で低コスト生産が可能であり、大きなエネルギーを連続的に安定して出力させることが可能なクリーンエネルギー発生方法及び装置を提供する。【解決手段】密閉動力サイクル１５とヒートポンプＨＰとを有するエネルギー変換装置１２を備え、該ヒートポンプで低温低圧冷媒から生成した冷媒蒸気を冷媒圧縮機Ｐ２により圧縮して高温高圧冷媒を生成した後に膨張・蒸発させて冷熱を発生させ、該高温高圧冷媒の熱を該密閉動力サイクルの低温低圧作動流体に伝達し、該低温低圧作動流体を流体圧縮機Ｐ１により圧縮して高温高圧作動流体を生成し、蓄電ユニット２０の電力をパルス電源２８に供給してパルス電力を生成して電気式動力ガス発生器４２を所定温度に加熱し、該高温高圧作動流体を該電気式動力ガス発生器と接触させることにより高温高圧動力ガスを生成し、当該高温高圧動力ガスにより可動ピストン２００を作動させて機械エネルギーを発生させる。【選択図】図１
2015017598.tif 000002
【特許請求の範囲】
【請求項１】
太陽光発電装置により発生した電力を第１蓄電用電力として蓄電する蓄電ユニットと、所定圧で封入された作動流体を備えていて該蓄電ユニットの蓄電電力で作動する密閉動力サイクルとを有するエネルギー変換装置を準備し、該作動流体をロータリー増圧器により加圧して高温高圧作動流体を生成し、該蓄電電力をパルス電源に供給することでパルス電力を生成し、該パルス電力によりエンタルピー増幅器を通電発熱させて該高温高圧作動流体の温度よりも高い所定温度に加熱し、該高温高圧作動流体を該エンタルピー増幅器と接触させることにより高エンタルピー動力流体を生成し、当該高エンタルピー動力流体により可動ピストンを作動させて動力を発生させ、該動力を発電機に供給して電力を発生させ、該動力の一部で該ロータリー増圧器を駆動し、該可動ピストンの膨張ガスを冷却した後に該ロータリー増圧器に還流させることを特徴とする次世代太陽光発電方法。
【請求項２】
該動力を利用して発生させた電力を第２蓄電用電力として該蓄電ユニットに供給することを特徴とする請求項１記載の次世代太陽光発電方法。
【請求項３】
太陽光発電装置により発生した電力を第１蓄電用電力として蓄電する蓄電ユニットと、所定圧で封入されることにより低沸点で蒸発可能な作動流体と冷媒とをそれぞれ循環させる密閉動力サイクル及びヒートポンプとを有するエネルギー変換装置を準備し、該ヒートポンプで冷媒圧縮機により低温低圧冷媒を圧縮して高温高圧冷媒を生成し、該高温高圧冷媒を該密閉動力サイクルの該作動流体に伝達して高圧冷媒を生成し、該高圧冷媒を第１膨張機により膨張させて第１動力を回収しながら低温低圧冷媒を生成し、該低温低圧冷媒を蒸発させて冷熱を生成し、該密閉動力サイクルにおいて流体圧縮器により該作動流体を圧縮して高温高圧作動流体を生成し、該蓄電ユニットの蓄電電力をパルス電源に供給することでパルス電力を生成し、該パルス電力によりエンタルピー増幅器を通電加熱することにより該作動流体の受熱温度よりも高い所定温度に昇温させ、該高温高圧作動流体を該エンタルピー増幅器と接触させることにより高エンタルピー動力流体を生成し、該第１膨張機に対して出力軸を介して連結された第２膨張機により該高エンタルピー動力流体を膨張させて第２動力を回収し、該第２膨張機の膨張ガスを該冷熱により冷却して該冷媒と該作動流体とを再生し、該出力軸を介して該第１及び第２動力を発電機に供給して電力を発生させ、該出力軸を介して該第１及び第２動力の一部で該冷媒圧縮機と該流体圧縮機を駆動することを特徴とする次世代太陽光発電方法。
【請求項４】
太陽光発電装置により発生した電力を第１蓄電用電力として蓄電する蓄電ユニットと、所定圧で封入された作動流体を備えていて該蓄電ユニットの蓄電電力で作動する密閉動力サイクルとを有するエネルギー変換装置を備え、該ネルギー変換装置が該作動流体を加圧して高温高圧作動流体を生成するロータリー増圧器と、該蓄電電力によりパルス電力を生成を生成するパルス電源と、該パルス電力により通電発熱して該高温高圧作動流体から高エンタルピー動力流体を生成するエンタルピー増幅器と、該ロータリー増圧器と駆動連結された出力軸を備えていて当該高エンタルピー動力流体を膨張させて動力を発生する可動ピストンと、該動力により駆動されて電力を発生する発電機とを備え、該動力の一部で該ロータリー増圧器を駆動することを特徴とする次世代太陽光発電装置。
【請求項５】
該エネルギー変換装置が、さらに、該動力を利用して発生させた電力を第２蓄電用電力として該蓄電ユニットに供給する充電器を備えることを特徴とする請求項４記載の次世代太陽光発電装置。
【請求項６】
該エンタルピー増幅器が、リアクタケーシングと、該リアクタケーシングに形成されたエンタルピー増幅室と、該エンタルピー増幅室に収納された通電発熱体とを備え、該通電発熱体が該パルス電力により通電して該高温高圧作動流体の温度の数倍以上の該所定温度に発熱して当該高温高圧作動流体から当該高エンタルピー動力流体を生成することを特徴とする請求項４又は５に記載の次世代太陽光発電装置。
【請求項７】
太陽光により電力を発生する太陽光発電装置と、該電力を第１蓄電用電力として充電する蓄電ユニットと、所定圧で封入されることにより低沸点で蒸発可能な作動流体と冷媒とをそれぞれ循環させる密閉動力サイクル及びヒートポンプとを有するエネルギー変換装置とを備え、該ヒートポンプが該冷媒を圧縮して高温高圧冷媒を生成する冷媒圧縮機と、該高温高圧冷媒の熱を該密閉動力サイクルの該作動流体に伝達して高圧冷媒を生成する放熱器と、該高圧冷媒を減圧・膨張させて第１動力を回収しながら低温低圧冷媒を生成する第１膨張機と、該低温低圧冷媒を蒸発させて冷熱を生成する熱交換器とを備え、該密閉動力サイクルが該作動流体を圧縮して高温高圧作動流体を生成する流体圧縮機と、該蓄電ユニットから蓄電電力が供給されてパルス電力を生成するパルス電源と、該パルス電力により通電して所定温度に加熱して該高温高圧作動流体から高エンタルピー動力流体を生成するエンタルピー増幅器と、該第１膨張機と出力軸を介して連結されていて当該高エンタルピー動力流体を膨張させることにより第２動力を回収する第２膨張機と、該熱交換器を備えていて該冷媒により該第２膨張機の膨張ガスを冷却することにより該作動流体と該冷媒とを再生する冷却器と、該第１及び第２動力により駆動されて電力を発生する発電機とを備え、該第１及び第２動力の一部で該冷媒圧縮機及び該流体圧縮機を駆動することを特徴とする次世代太陽光発電装置。
【発明の詳細な説明】
【技術分野】
【技術分野】
【０００１】  本発明は太陽光発電方法及び装置に関し、特に、次世代太陽光発電方法及び装置に関する。
【背景技術】
【０００２】  近年、大気汚染や地球温暖化問題が益々、深刻化しており、その有効な対策として、太陽光発電システムが注目されている。従来の太陽光発電システムは太陽光の入射エネルギーの変動により出力電圧が変動し、質の高い安定した電力を連続的に供給することが困難であった。その解決策として様々な技術が提案されている。【０００３】  特許文献１には、太陽光発電モジュールの電力をキャパシタに充電し、キャパシタからの出力電力により直接電動機を介してエアーコンプレッサを駆動して得た圧縮空気を圧縮空気貯蔵タンクに貯蔵するようにした太陽光発電システムが提案されている。【０００４】  特許文献２には、太陽光発電パネルの電力をバッテリバンクに充電し、バッテリバンクの出力電力でエアーコンプレッサを駆動することにより圧縮空気を圧縮空気貯蔵タンクに貯蔵し、次いで、圧縮空気貯蔵タンクから供給された圧縮空気でエアータービンを駆動することで発電して２次バッテリバンクに電力を貯蔵するようにしたハイブリッド太陽光発電システムが提案されている。
【先行技術文献】
【特許文献】
【０００５】
【特許文献１】米国特許第６３６７２５９号
【特許文献２】米国特許第７９６４７８７号
【発明の開示】
【発明が解決しようとする課題】
【０００６】  ところで、特許文献１及び２で開示された太陽光発電システムでは、太陽光エネルギーで得た電力をキャパシタ又はバッテリバンクに充電にしてその蓄電電力を利用してコンプレッサを駆動することで圧縮空気を貯蔵タンクに貯蔵していた。その構造では、大容量のキャパシタ又はバッテリバンクが必要となり、設備コストが膨大なものとなっていた。しかも、圧縮空気貯蔵タンク自体が必然的に巨大構造とならざるを得ず、安全性の面からからより消費地に近い場所に設置することはできなかった。さらに、圧縮空気貯蔵タンクから圧縮空気が吐出すると、タンク内の圧縮空気の体積が急激に減少するため、圧縮空気の圧力エネルギーが急激に低下していた。そのため、エアーコンプレッサやエアータービンを定格で駆動するための圧力エネルギーを長時間に亘って維持することが困難となり、質の高い安定した電力を連続的に供給することができなかった。ましてや、夜間や曇天・雨天等の天候不順の場合に安定した電力を連続的に供給することができなかった。一方、従来の太陽光発電システムでは大量の太陽光パネルを広大な敷地に設置する必要があった。そのため、自然環境や生物形態を破壊する原因となっていた。また、太陽光発電システムではエネルギー消費地から遠く離れた場所で発電するので、その電力輸送のための莫大な設備と経由する土地を必要としていた。このように、太陽光パネル自体の使用量を削減することができず、依然として、広大な敷地面積と大規模な建設工事が必要であった。そのため、より消費地に近い場所で質の高い安定した電力を低コストで供給することができなかった。【０００７】  本発明は、かかる従来の問題点に鑑みてなされたもので、広大な敷地面積と大規模な建設工事が不要で、環境破壊や生物形態の破壊を起こすことなく、より消費地に近い場所に容易に設置可能であり、夜間や長期の天候不順の場合にも、質の高い安定した電力を連続的に供給可能な次世代太陽光発電方法及び装置を提供することを目的とする。
【課題を解決するための手段】
【０００８】  請求項１に記載された第１発明によれば、次世代太陽光発電方法において、太陽光発電装置により発生した電力を第１蓄電用電力として蓄電する蓄電ユニットと、所定圧で封入された作動流体を備えていて該蓄電ユニットの蓄電電力で作動する密閉動力サイクルとを有するエネルギー変換装置を準備し、該作動流体をロータリー増圧器により加圧して高温高圧作動流体を生成し、該蓄電電力をパルス電源に供給することでパルス電力を生成し、該パルス電力によりエンタルピー増幅器を通電発熱させて該高温高圧作動流体の温度よりも高い所定温度に加熱し、該高温高圧作動流体を該エンタルピー増幅器と接触させることにより高エンタルピー動力流体を生成し、当該高エンタルピー動力流体により可動ピストンを作動させて動力を発生させ、該動力を発電機に供給して電力を発生させ、該動力の一部で該ロータリー増圧器を駆動し、該可動ピストンの膨張ガスを冷却した後に該ロータリー増圧器に還流させることを特徴とする。【０００９】  請求項２に記載された発明によれば、請求項１記載の構成に加えて、好ましくは、該動力を利用して発生させた電力を第２蓄電用電力として該蓄電ユニットに供給することを特徴とする。【００１０】  請求項３に記載された第２発明によれば、次世代太陽光発電方法において、太陽光発電装置により発生した電力を第１蓄電用電力として蓄電する蓄電ユニットと、所定圧で封入されることにより低沸点で蒸発可能な作動流体と冷媒とをそれぞれ循環させる密閉動力サイクル及びヒートポンプとを有するエネルギー変換装置を準備し、該ヒートポンプで冷媒圧縮機により低温低圧冷媒を圧縮して高温高圧冷媒を生成し、該高温高圧冷媒を該密閉動力サイクルの該作動流体に伝達して高圧冷媒を生成し、該高圧冷媒を第１膨張機により膨張させて第１動力を回収しながら低温低圧冷媒を生成し、該低温低圧冷媒を蒸発させて冷熱を生成し、該密閉動力サイクルにおいて流体圧縮器により該作動流体を圧縮して高温高圧作動流体を生成し、該蓄電ユニットの蓄電電力をパルス電源に供給することでパルス電力を生成し、該パルス電力によりエンタルピー増幅器を通電加熱することにより該作動流体の受熱温度よりも高い所定温度に昇温させ、該高温高圧作動流体を該エンタルピー増幅器と接触させることにより高エンタルピー動力流体を生成し、該第１膨張機に対して出力軸を介して連結された第２膨張機により該高エンタルピー動力流体を膨張させて第２動力を回収し、該第２膨張機の膨張ガスを該冷熱により冷却して該冷媒と該作動流体とを再生し、該出力軸を介して該第１及び第２動力を発電機に供給して電力を発生させ、該出力軸を介して該第１及び第２動力の一部で該冷媒圧縮機と該流体圧縮機を駆動することを特徴とする。【００１１】  請求項４に記載された第３発明によれば、次世代太陽光発電装置が、太陽光発電装置により発生した電力を第１蓄電用電力として蓄電する蓄電ユニットと、所定圧で封入された作動流体を備えていて該蓄電ユニットの蓄電電力で作動する密閉動力サイクルとを有するエネルギー変換装置を備え、該ネルギー変換装置が該作動流体を加圧して高温高圧作動流体を生成するロータリー増圧器と、該蓄電電力によりパルス電力を生成を生���するパルス電源と、該パルス電力により通電発熱して該高温高圧作動流体から高エンタルピー動力流体を生成するエンタルピー増幅器と、該ロータリー増圧器と駆動連結された出力軸を備えていて当該高エンタルピー動力流体を膨張させて動力を発生する可動ピストンと、該動力により駆動されて電力を発生する発電機とを備え、該動力の一部で該ロータリー増圧器を駆動することを特徴とする。【００１２】  請求項５に記載された発明によれば、請求項４記載の構成に加えて、該エネルギー変換装置が、さらに、該動力を利用して発生させた電力を第２蓄電用電力として該蓄電ユニットに供給する充電器を備えることを特徴とする。【００１３】  請求項６に記載された発明によれば、該エンタルピー増幅器が、リアクタケーシングと、該リアクタケーシングに形成されたエンタルピー増幅室と、該エンタルピー増幅室に収納された通電発熱体とを備え、該通電発熱体が該パルス電力により通電して該高温高圧作動流体の温度の数倍以上の該所定温度に発熱して当該高温高圧作動流体から当該高エンタルピー動力流体を生成することを特徴とする。【００１４】  請求項７に記載された第４発明によれば、次世代太陽光発電装置が、太陽光により電力を発生する太陽光発電装置と、該電力を第１蓄電用電力として充電する蓄電ユニットと、所定圧で封入されることにより低沸点で蒸発可能な作動流体と冷媒とをそれぞれ循環させる密閉動力サイクル及びヒートポンプとを有するエネルギー変換装置とを備え、該ヒートポンプが該冷媒を圧縮して高温高圧冷媒を生成する冷媒圧縮機と、該高温高圧冷媒の熱を該密閉動力サイクルの該作動流体に伝達して高圧冷媒を生成する放熱器と、該高圧冷媒を減圧・膨張させて第１動力を回収しながら低温低圧冷媒を生成する第１膨張機と、該低温低圧冷媒を蒸発させて冷熱を生成する熱交換器とを備え、該密閉動力サイクルが該作動流体を圧縮して高温高圧作動流体を生成する流体圧縮機と、該蓄電ユニットから蓄電電力が供給されてパルス電力を生成するパルス電源と、該パルス電力により通電して所定温度に加熱して該高温高圧作動流体から高エンタルピー動力流体を生成するエンタルピー増幅器と、該第１膨張機と出力軸を介して連結されていて当該高エンタルピー動力流体を膨張させることにより第２動力を回収する第２膨張機と、該熱交換器を備えていて該冷媒により該第２膨張機の膨張ガスを冷却することにより該作動流体と該冷媒とを再生する冷却器と、該第１及び第２動力により駆動されて電力を発生する発電機とを備え、該第１及び第２動力の一部で該冷媒圧縮機及び該流体圧縮機を駆動することを特徴とする。
【発明の効果】
【００１５】  本発明の次世代太陽光発電方法及び次世代太陽光発電装置において、太陽光発電装置の電力を第１蓄電用電力として蓄電ユニットに蓄電する。該蓄電ユニットの蓄電電力をパルス電源に供給してパルス電力を発生させ、該パルス電力によりエンタルピー増幅器を通電して所定温度に昇温させる。ロータリー増圧器により加圧されて生成した高温高圧作動流体をエンタルピー増幅器と接触させることにより高エンタルピー動力流体変換し、該高エンタルピー動力流体により可動ピストンを作動させて動力を回収する。高エンタルピー動力流体は可動ピストンに連続的（膨張行程の全期間中）に作用するため、可動ピストンの正味有効平均圧力は約２００〜４５０Ｋｇｆ／ｃｍ２にも達し、既存のレーシングカーの正味有効平均圧力の１３．５Ｋｇｆ／ｃｍ２に比べて極めて大きくなる。したがって、高エンタルピー動力流体を利用して極めて大きな動力を取り出すことが可能となり、これを発電機に供給して数十キロワットから数百メガワットの安定した質の高い電力を連続的に得ることができる。【００１６】  また、蓄電ユニットには集光型発電装置の発電電力のみならず、該動力を利用して発電した電力の一部を利用して蓄電しているため、曇天・雨天等の天候不順や夜間の時間帯においても、質の高い安定した電力を連続的に供給することが可能となる。しかも、エンタルピー増幅器自体の消費電力は小さいため、大量の太陽光パネルを採用する必要がなく、また、太陽光パネル設置に伴う大規模な建設工事も必要としない。【００１７】  さらに、ヒートポンプが密閉動力サイクルと熱的に連結していてヒートポンプの高温高圧冷媒の熱を外気に放熱しないで閉動力サイクルの低温低圧作動流体で回収しているため、エネルギー変換装置の運転効率が向上する。
【図面の簡単な説明】
【００１８】
【図１】本発明の実施例による次世代太陽光発電方法を実施するための次世代太陽光発電装置のブロック図を示す。
【図２】図１の次世代太陽光発電装置における複合型圧縮機の断面図を示す。
【図３】図１の次世代太陽光発電装置におけるエンタルピー増幅器の断面図を示す。
【発明を実施するための最良の形態】
【実施例】
【００１９】  以下、図面に基づき、本発明による次世代太陽光発電装置の実施例について詳細に説明する。図１に示した実施例において、次世代太陽光発電装置１０は定置型構造のものとして図示しているが、車両、船舶、航空機、鉄道機関車、宇宙往還機、飛行船等の移動体に搭載して移動型構造として利用しても良い。【００２０】  図１に示した実施例において、次世代太陽光発電装置１０は、所定圧で封入されることにより低沸点で蒸発可能な作動流体と冷媒とをそれぞれ循環させる密閉動力サイクル１５及びヒートポンプＨＰとを有するエネルギー変換装置１２と、エネルギー変換装置１２の動力を発電機ＧＥに伝達する出力装置１６とを備える。出力装置１６はエネルギー変換装置１２の動力を選択的に遮断若しくは締結するクラッチＣＬを有する。発電機ＧＥの電力はパワーラインＰＬを介して所望の電気設備或いは系統連係装置を介して売電される。【００２１】  作動流体及び冷媒としては、本発明を限定するものではないが、自然界に存在する安全な物質であり、極めて安価に手に入れることができる理由から、オゾン層破壊係数がゼロで地球温暖化係数が１の自然冷媒である二酸化炭素（以下、ＣＯ２と略称する）を利用する。説明の便宜上、密閉動力サイクル１２の作動流体をＣＯ２作動流体、ヒートポンプＨＰの冷媒をＣＯ２冷媒と称するが、作動流体はＣＯ２冷媒とも称する。密閉動力サイクル１５及びヒートポンプＨＰでは、本発明を限定するものではないが、低圧側の圧力がＣＯ２の超臨界点以下の所定圧、例えば、３〜５．７ＭＰａとなるようにそれぞれの系統内に充填される。例えば、低圧側の圧力が５．７ＭＰａとなるように設定されると、ＣＯ２冷媒は約２０℃で液化する。低圧側の圧力が３ＭＰａに設定されると、ＣＯ２冷媒は約−６℃で液化する。このようにシステム内の諸条件に合わせてＣＯ２冷媒の充填圧を自由に選択することができる。なお、冷媒としてその他の冷媒、例えば、低沸点（沸点１５．３℃）のＲ２４５ｆａＨＦＣ冷媒を使用しても良い。【００２２】  密閉動力サイクル１５は、低温低圧ＣＯ２作動流体Ｗｆを超臨界点（３１．１℃、７．４ＭＰａ）以上の圧力で圧縮する圧縮機（複合型回転式流体機械）２７と、圧縮機２７から吐出された高温高圧ＣＯ２作動流体（超臨界流体）Ｗｆｐを逆止弁２９を介して貯蔵する摺動ピストン及びバネ手段３０ａを内蔵した貯蔵室３０ｂを有するバッファアダンパー３０と、バッファアダンパー３０のアウトレット３０ｃから供給される超臨界流体Ｗｆｐの流れ（流通期間）を制御する電磁弁（制御弁）３２と、バッファアダンパー３０から供給された超臨界流体Ｗｆｐをその超臨界点（３１．１℃）以上の温度（例えば、６００〜８００℃）に加熱して瞬時に超臨界流体からなる高エンタルピー動力流体を発生させるエンタルピー増幅器（瞬間超臨界流体発生器）４２と、ヒートポンプＨＰの高圧冷媒Ｃｍｈと超臨界流体Ｓｃｆを作動室１１６内に導入して膨張させてそれぞれ第１及び第２動力を回収する第１及び第２回転式流体機械部４０Ａ，４０Ｂ（第１、第２膨張機）からなる回転式流体機械４０と、該第１、第２動力を取り出すとともにその一部を圧縮機２７に伝達する出力軸１３２とを備える。第１、第２膨張���４０Ａ，４０Ｂは出力軸１３２に支持されていて作動室１１６に回転可能に収納された共通のロータリピストン本体）２００を備え、作動室１１６内に高圧冷媒Ｃｍｈと超臨界流体Ｓｃｆをそれぞれ供給するインレット１２６Ａ，１２６Ｂと、低温低圧冷媒Ｃｍｅと膨張ガスＥｇとをそれぞれ排出するアウトレット１２６Ａ，１２６Ｂとを有する。【００２３】  バッファアダンパー３０のバネ手段３０ａは、貯蔵室３０ｂの高圧ＣＯ２作動流体（超臨界流体）の圧力が、例えば、２０〜６０ＭＰａに維持されるように選択される。したがって、密閉動力サイクル１５において、逆止弁２９と電磁弁（制御弁）３２との間の第１流体圧経路における圧力は２０〜６０ＭＰａに維持され、残部の第２流体圧経路（回転式流体機械４０の低圧側）は、例えば、３ＭＰａに維持されるようにＣＯ２作動流体が密閉動力サイクル１５に充填される。圧縮機２７は、例えば、２０〜６０ＭＰａの圧力で超臨界流体を吐出するので、密閉動力サイクル１５の作動中にはバッファアダンパー３０のバネ手段３０ａは常時、圧縮された状態に維持されて超臨界流体Ｗｆｐを貯蔵する。【００２４】  電磁弁３２は、本願発明者と同一発明者による特願２０１２−２７０７５６号「超臨界エンジン及び超臨界エンジン駆動発電装置並びにこれを具備した次世代太陽光発電装置」に記載されたものと同一の構造を有するため、詳細な説明を省略する。【００２５】  ヒートポンプＨＰは、第２膨張機４０Ｂの膨張ガスＥｇと熱交換して膨張ガスＥｇを一次冷却しながら吸熱して低温低圧冷媒Ｃｍｏから冷媒蒸気Ｃｍを生成する予冷器ＥＶｏと、圧縮機２７に内蔵されていてＣＯ２冷媒蒸気Ｃｍを超臨界圧まで昇圧して超臨界ＣＯ２冷媒Ｃｍｐを生成する冷媒圧縮手段Ｐ２（図２参照）と、低温低圧冷媒Ｃｍｏにより膨張ガスＥｇを予冷しながら冷媒蒸気Ｃｍを生成する予冷器（熱交換器）ＥＶｏと、低温低圧ＣＯ２冷媒Ｃｍｅを蒸発させて冷熱（−１０℃；３ＭＰａ）を生成するとともにこの冷熱により膨張ガスＥｇを冷却する熱交換器ＥＶ１（冷却器４３）と、冷媒圧縮手段Ｐ２のアウトレット３５８Ｂから吐出した高温高圧ＣＯ２冷媒Ｃｍｐを密閉動力サイクル１５の低温低圧ＣＯ２作動流体Ｗｆｏに放熱して渦熱蒸気からなる作動流体Ｗｆを生成するとともに高圧ＣＯ２冷媒Ｃｍｈを生成する放熱器ＥＶ２と、高圧ＣＯ２冷媒を減圧・膨張させることにより第１動力を発生させるとともに低温低圧ＣＯ２冷媒Ｃｍｅを生成する第１膨張機４０Ａとを備える。熱交換器ＥＶ１から出た低温低圧ＣＯ２冷媒は予冷器ＥＶｏで膨張ガスＥｇと熱交換して冷媒蒸気となって圧縮機２７の冷媒圧縮手段Ｐ２のインレット３５６Ｂに還流され、一方、冷却器４３から出た低温低圧膨張ガスＷｆｏは放熱器ＥＶ２で高温高圧ＣＯ２冷媒Ｃｍｐから吸熱して低温低圧ＣＯ２作動流体が過熱蒸気Ｗｆとなって密閉動力サイクル１５の圧縮機２７の流体圧縮手段Ｐ１のインレット３５６Ａに導入され、以後、同一のヒートポンプサイクル及び動力サイクルが繰り返し実行される。【００２６】  図２より明らかなように、複合型圧縮機２７は、好ましくは、所定圧（例えば、３ＭＰａ）のＣＯ２作動流体Ｗｆを超臨界点以上の圧力で圧縮して超臨界流体（ＣＯ２超臨界流体��Ｗｆｐを生成する流体圧縮手段Ｐ１と、低温低圧ＣＯ２冷媒Ｃｍを臨界圧まで昇圧して高温高圧ＣＯ２冷媒（超臨界流体）Ｃｍｐを生成する冷媒圧縮手段Ｐ２とを備えた複合型回転式流体機械から構成される。圧縮機２７でＣＯ２作動流体及びＣＯ２冷媒を過熱蒸気にして臨界圧以上の条件で圧縮する理由は、これら流体の圧縮に必要な動力を大幅（通常のガス圧縮に比べて約５分の一）に低減して運転効率を飛躍的に向上させるためである。【００２７】  図１及び図２に示すように、複合型圧縮機２７は、回転式流体機械４０とエンタルピー増幅器４２に同心的に連結されたロータハウジング３５２と、密閉動力サイクル１５に接続されて低温低圧ＣＯ２作動流体Ｗｆを導入する第１インレット３５６Ａと、超臨界ＣＯ２作動流体（超臨界流体）Ｗｆｐを吐出する第１アウトレット３５８Ａと、低温低圧冷媒Ｃｍを導入する第２インレット３５６Ｂと、超臨界ＣＯ２冷媒Ｃｍｐを吐出する第２アウトレット３５８Ｂと、インレット３５６Ａ，３５６Ｂ及びアウトレット３５８Ａ，３５８Ｂが開口するロータ作動室３６０と、回転式流体機械４０の駆動軸１３２に圧入その他の連結手段で駆動連結されていてロータ作動室３６０に回転可能に収納されたクランクロータ３６２とを備える。【００２８】  クランクロータ３６２は、駆動軸１３２に形成されたメイン潤滑油供給通路１３２Ｌから径方向外側に延びる潤滑油通路３６２ａと、潤滑油供給ポート３６２ｂと、潤滑油供給ポート３６２ｂからローブ３６４の外周端部に微量の潤滑油を供給可能な多孔質プラグ３６２ｃとを備える。メイン潤滑油供給通路１３２Ｌは、本願発明者と同一発明者による日本特許５１０３５７０号「回転式流体機械」に記載された潤滑油ポンプ等により潤滑油が供給される。【００２９】  複合型圧縮機２７は、さらに、ロータ作動室３６０の内周面上を回転移動しながらインレット３５６Ａ，３５６ＢからＣＯ２作動流体Ｗｆ及び冷媒Ｃｍをそれぞれ吸引すると共にこれら流体を超臨界圧まで圧縮しながらアウトレット３５８Ａ，３５８Ｂから吐出する複数のローブ３６４と、ローブ３６４の径方向内側領域において周方向後縁部に形成された曲面摺動凹部３６６と、インレット３５６に隣接してクランクロータ３６２に対して移動可能な揺動ピストン３６８と、揺動ピストン３６８と曲面摺動凹部３６６との間に形成された圧縮室３７０とを備える。【００３０】  揺動ピストン３６８は、ロータハウジング３５２内に形成されたピストン揺動室３７２に収納されて、ピボット軸３７４を介して回動するピストンエレメント３７６を備える。ピストンエレメント３７６の先端部にはローブ３６４と曲面摺動凹部３６６とに接触しながら摺動する曲面シール部３７６ａと連通開口部３７６ｂとを備える。ロータハウジング３５２に形成されたバネ収納部３７８には押圧バネ３８０がピストンエレメント３７６をクランクロータ３６２側に押圧している。回転式流体機械４０の起動時に駆動軸１３２が図２において、例えば、時計方向に回転駆動されると、複合型圧縮機２７において、圧縮室３７０にはインレット３５６Ａ，３５６ＢからそれぞれＣＯ２作動流体Ｗｆと冷媒Ｃｍが吸引され、それぞれ超臨界流体及び超臨界ＣＯ２冷媒としてアウトレット３５８Ａ，３５８Ｂから吐出される。このように、圧縮機２７のクランクロータ３６２は作動流体圧縮手段Ｐ１と、冷媒圧縮手段Ｐ２の共通部品として機能する。【００３１】  なお、複合型圧縮機２７は本願発明者と同一発明者による特願２０１２−２１８０５８号「ロータリ燃焼機関、ハイブリッドロータリ燃焼機関及びこれらを具備した次世代太陽光発電装置」に記載されたロータリポンプと同一の構造を有するため、さらなる詳細な説明を省略する。複合型圧縮機２７としては、本願と同一発明者による後述の回転式流体機械を利用してもよい。【００３２】  図３に示すように、エンタルピー増幅器４２は、複合型圧縮機２７と回転式流体機械４０に同心的に連結された円筒状リアクタケーシング１１００を備える。円筒状リアクタケーシング１１００には、円筒状リアクタケーシング１１００の内側とケーシング１１００の中央内周部１１１４の径方向外側に形成されたセラミック等の絶縁耐熱層１１１６と、絶縁耐熱層１１１６の内側に形成されているエンタルピー増幅室１１１８が形成されている。円筒状リアクタケーシング１１００の中央内周部１１１４は回転式流体機械４０の出力軸１３２を通過可能にするための直径を有する内周壁部１１１４を備える。【００３３】  エンタルピー増幅器４２の吸入ポート１１０２は、径方向壁部１１２０に延びていて電磁弁３２が装着されるとともに、径方向壁部１１２０には周方向に延びる複数の開口部１１２２を有する。エンタルピー増幅室１１１８のコーナー部１１１８ａ、１１１８ｂには対抗電極１１２４，１１２６がそれぞれ配置される。一対の電極１１２４，１１２６はパルス電源２８に接続される。ケーシング１１００には温度センサＳ２が装着され、温度信号Ｔがコントローラ６０（図１参照）に供給され、パルス電力のパルス幅の制御用に利用される。【００３４】  エンタルピー増幅室１１１８には、対抗電極１１２４，１１２６の間に介在していて多数の管状通電発熱体１１３４が充填されている。パルス電力に応答して、多数の管状通電発熱体１１３４は通電発熱して６００〜８００℃の超臨界領域に達するため、パルス電源２８によってパルス電力のデューティサイクルが所定値となるように制御される。これら管状通電発熱体１１３４の隙間はアーク放電領域１１３６としても作用させることもできるが、上述の超臨界領域が維持できれば、必ずしも、アーク放電を発生させる必要性はない。アーク放電を発生させる場合、管状通電発熱体１１３４としては、例えば、市販の外径６〜３０ｍｍの銅タングステンパイプを所定長さ（例えば、外形の０．５倍〜１．５倍の長さ）にカットした通電発熱パイプが挙げられる。図１において、通電発熱パイプ１１３４はエンタルピー増幅室１１１８において整列状態で配置されたものとして図示されているが、実際の適用例においては、所定圧力で圧接されて電気的接続関係に維持されていればランダム状態に配置されても良い。エンタルピー増幅室１１１８においてアーク放電を発生させない場合は、管状通電発熱体１１３４として多数の所定長さにカットしたステンレスパイプやその他の高融点金属パイプを使用しても構わない。ＣＯ２超臨界流体は、通電発熱パイプ１１３４の隙間及び通電���熱パイプ１１３４の穴部を通過する。このとき、これら通電発熱パイプ１１３４の各部と衝突しながら加熱されて瞬時に高エンタルピー動力流体が生成される。【００３５】  通電発熱パイプ１１３４として銅タングステンパイプを採用する際には、通電発熱パイプ１１３４が互いに接触した箇所の隣接部分でアーク放電が発生するようにパルス電力のパルス電圧を選定しても良い。アーク放電は、パルス電圧を周期的に発生させるパルス電流の電圧がハイレベルとローレベルとの間で周期的に変化することでより頻繁に発生する。したがって、パルス電流の電圧におけるハイレベルとローレベルとを制御することにより高エンタルピー動力流体の圧力と温度をさらに高めることが可能となる。上述の通電発熱パイプは作動流体の流通抵抗を大幅に低下させる点で有利であるが、導電性高融点加熱手段としてはその他の材料から構成しても良い。例えば、銅タングステンボール、カーボンボール、作動流体を通過させるための溝を配置したバルク状導電性金属体、バルク状導電性カーボン、多孔性高融点金属体や高融点ハニカム金属体等を利用しても良い。エンタルピー増幅室１１１８に隣接してフィルタ部１１０６が配置され、フイルタ部１１０６には耐熱性の金属ワイヤー等から形成されたフイルタ１１１０が充填される。電磁弁３２が所定周期で開弁されると、フイルタ１１１０を通過した高エンタルピー動力流体Ｓｃｆはフィルター１１４２で濾過された後、アウトレット１１４０から回転式流体機械４０のインレット１２４に供給される。【００３６】  回転式流体機械４０としては、好ましくは、本願発明者と同一発明者による日本特許第５１０３５７０（発明の名称：回転式流体機械）及び日本特許第５２１８９２９号（発明の名称：ロータリ燃焼機関、ハイブリッドロータリ燃焼機関及びこれらを具備した次世代太陽光発電装置）に開示された回転式流体機械と同一構造のものが挙げられる。他の例としては本願発明者と同一発明者による特願２０１２−２５９０９０号（発明の名称：回転式流体機械）に記載された構造のものを利用することもできる。【００３７】  図１に戻って、集光型太陽光発電装置５０がＤＣ／ＤＣコンバータ５２及び充電器２１を介して蓄電ユニット（蓄電システム）２０に接続され、集光型太陽光発電装置５０の電力がＤＣ／ＤＣコンバータ５２で電圧調整された後、第１蓄電用電力として充電器２１を介して蓄電ユニット２０に充電される。集光型太陽光発電装置５０としては、例えば、米国、カリフォルニアのＳＵＮＲＧＩ社製のものが挙げられる。この集光型太陽光発電装置は、集光レンズによって１６００倍にまで集光した太陽光エネルギーを利用して太陽電池素子の使用量を数百分の一の面積にまで減らして設置スペースと設備コストを大幅に低減した構造を有する。さらに、太陽光の入射エネルギーが不十分な場合の補助用として、オルタネータ２５が動力伝達手段４５を介してエネルギー変換装置１２の出力軸１３２に駆動連結されて低圧（例えば、１２〜２４ボルト）の電力を第２蓄電用電力として供給する。すなわち、オルタネータ２５は遮断器１９を介して充電器２１に供給され、蓄電ユニット２０に充電される。蓄電ユニット２０は充電器２１と、第１蓄電装置���２と、第２蓄電装置２３と、第１、第２蓄電装置２２、２３を充電器２１に交互に接続する第１切替制御器２４と、第１、第２蓄電装置２２、２３をパルス電源２８に交互に接続する第２切替制御器２６とを備える。図示を省略しているが、充電器２１は公知の構造と同様に低圧の交流電力を直流電力に変換する整流器と、平滑回路とを有する。第１、第２蓄電装置２２、２３にはそれぞれ電圧及び電流を検出するための電圧センサ及び電流センサ（いずれも図示せず）が接続される。これら電圧センサ及び電流センサの電圧検出値Ｖ１及び電流検出値Ｉ１はコントローラ６０に出力され、第１、第２蓄電装置２２、２３のそれぞれの残蓄電容量（ＳＯＣ値：Ｓｔａｔｅ  ｏｆ  ｃｈａｒｇｅ）を演算し、それぞれのＳＯＣ値に基づいて遮断器１９や第１、第２切替制御器２４，２６の指令信号を出力するために用いられる。さらに、第１、第２蓄電装置２２、２３の双方の残蓄電容量（ＳＯＣ値）が所定値以下となった場合には、コントローラ６０から指令信号が出力されて遮断器１９を自動的に投入して充電器２１をオルタネータ２５に接続する。このようにして、夜間や長期の天候不順の場合にも蓄電ユニット２０には継続して第１、第２蓄電用電力が供給され、エネルギー変換装置１２の連続運転を可能にする。【００３８】  第１、第２蓄電装置２２、２３としては、望ましくは、パルス充放電サイクル用途に対応可能な市販のウルトラキャパシタモジュールを利用したエンジン起動用バッテリ（部品番号：ＥＳＭ１２３０００−３１）（米国”Ｍａｘｗｅｌｌ  Ｔｅｃｈｎｏｌｏｇｉｅｓ“社製）が挙げられる。このバッテリは１５分間での短時間充電が可能であり、出力電圧が１２ボルトで出力電流が１５００〜１７００Ａであるため蓄電装置として適している。その他の蓄電装置としては、例えば、急速充放電型蓄電池（古河電池社製：商標名「ウルトラバッテリ」）、大容量電気二重層コンデンサからなるスーパーキャパシタ（トーキン製）、ナトリウムイオン電池、リチウムイオン電池やＮｉ−ＭＨ電池（ニッケルー水素電池）やこれら電池と大容量電気二重層コンデンサを組み合わせたものから構成しても良い。なお、第１蓄電装置２２の出力ラインの間にはウルトラキャパシタ（図示せず）を接続しても良い。第１蓄電装置２２及び第２蓄電装置２３から交互に出力電力がパルス電源２８に供給される。【００３９】  コントローラ６０は、例えば、所定の演算処理を実行するＣＰＵ（Ｃｅｎｔｒａｌ  Ｐｒｏｃｅｓｓｉｎｇ  Ｕｎｉｔ）と、所定の制御プログラムが記憶されたＲＯＭ（Ｒｅａｄ  Ｏｎｌｙ  Ｍｅｍｏｒｙ）と、データを一時的に記憶するＲＡＭ（Ｒａｎｄｏｍ  Ａｃｃｅｓｓ  Ｍｅｍｏｒｙ）と、例えばＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）を用いて構成される。コントローラ６０は各種制御対象の制御パラメータを入力するための入力装置（図示せず）や装置始動用スイッチ等が接続されている。【００４０】  パルス電源２８は第１、第２蓄電装置２２，２３からの供給電力から所定周期（例えば、５０〜２０００ヘルツ）のパルス電力を供給する。パルス電力において、パルス電圧は、好ま���くは、１２または２４ボルトの間で設定される。複数の通電発熱体の間でアーク放電を発生させたい場合には、ピーク電流とベース電流とからなるパルス電流がエンタルピー増幅器４２に供給されるように回路設計しても良い。この時、エネルギー変換装置１２の容量に応じて、パルス電流は、好ましくは、ピーク電流通電期間内において流れる２０〜２００アンペアのピーク電流と、ピーク電流の約十分の一の電流値を有し、オフピーク電流通電期間内において流れるベース電流とを有するように構成しても良い。エンタルピー増幅器４２において、多数の通電発熱パイプ１１３４はパルス電力に応答して通電することにより二酸化炭素の臨界温度３７４℃以上の温度、例えば、８００〜１２００℃の温度に昇温する。この温度は、運転条件に合わせて自由に選択される。超臨界流体が通電発熱パイプ１１３４の外表面に順次接触して通過する過程において、高エンタルピー動力流体は超臨界状態下で加熱されて高温の超臨界流体Ｓｃｆとなる。【００４１】  パルス電源２８は、好ましくは、ピーク電流とベース電流とからなるパルス電流を発生させるものであれば、直流パルス電源又は交流パルス電源のいずれでも良い。直流パルス電源としては、例えば、日本国特許第２５８７３４３号に開示されたようなパルスアーク溶接用電源装置に使用されるような回路構成が挙げられる。【００４２】  図１において、バッファアダンパーの圧力センサＳ１からの圧力信号ＰＳ、エンタルピー増幅器４２の温度センサＳ２からの温度信号Ｔ（図４参照）と、エネルギー変換装置１２の出力軸１３２の回転数センサＳ３からの回転数信号ＳＰがコントローラ６０に送信される。入力装置（図示せず）からはカレンダー信号や、温度や圧力等のパラメータ設定信号が基準信号としてコントローラ６０に入力される。コントローラ６０には、第１、第２蓄電器２２，２３のそれぞれの電圧信号Ｖ１と電流信号Ｉ１とが送信され、コントローラ６０はこれら入力信号に応答して第１、第２蓄電器２２，２３の蓄電状態（Ｓｔａｔｅ  ｏｆ  ｃｈａｒｇｅ）を判別して第２切替制御器２６を介して第１、第２蓄電装置２２、２３の一方をパルス電源２８に接続するとともに第１切替制御器２４を介して第１、第２蓄電装置２２、２３の他方を充電器２１により充電する。さらに、コントローラ６０は、センサＳ１〜Ｓ３からの入力信号ＰＳ，Ｔ，ＳＰに応答して電磁弁３２を制御する。このとき、コントローラ６０は、回転式流体機械４０において第２回転式流体機械部４０Ｂの膨張行程の全期間中に電磁弁３２を開弁状態に維持するように制御する。したがって、第２回転式流体機械部４０Ｂには膨張行程の全期間中に高エンタルピー動力流体が連続的に作用することになる。一方、コントローラ６０は、次世代太陽光発電装置１０の運転条件に合わせてクラッチＣＬを締結・離脱させるための制御信号Ｃｃを出力する。【００４３】  次に、本発明による次世代太陽光発電方法について本実施例の次世代太陽光発電装置１０の作動に関する記載に関連して説明する。【００４４】  エネルギー変換装置１２の作動において、蓄電ユニット２０は集光型太陽光発電装置５０から供給された蓄電用電力により充電されているものとする。先ず、装置���動用スイッチ（図示せず）が投入されると、コントローラ６０の指令信号により切替装置２６が作動して蓄電ユニット２０の第１蓄電装置２２からパルス電源２８にパルス電力が供給される。この時、コントローラ６０からの指令信号によりパルス電源２８が起動され、周期的なパルス電力がエンタルピー増幅器４２に供給される。すると、通電発熱パイプ１１３４が通電して所望の設定温度（例えば、８００℃）に発熱する。エンタルピー増幅器４２の温度信号Ｔがこの設定温度に達したときに、コントローラ６０から電磁弁３２に指令信号が出力され、電磁弁３２が通電して開弁する。このとき、バッファアダンパー３０に貯蔵されていたＣＯ２作動流体Ｗｆｐがエンタルピー増幅器４２に供給される。エンタルピー増幅器４２ではＣＯ２作動流体Ｗｆｐが通電発熱パイプ１１３４の外表面に順次接触して撹拌されながら均一に昇温し、さらに、これら通電発熱パイプ１１３４の隙間や穴部を通過しながらさらに加温されて超臨界流体ＳＣｆからなる高エンタルピー動力流体が生成される。この高エンタルピー動力流体ＳＣｆは第２回転式流体機械部４０Ｂのインレット１２４Ｂから膨張室１１６に流入してロータリピストン本体２００に作用して爆発的に膨張して動力を発生して出力軸１３２にトルクを伝達する。【００４５】  エネルギー変換装置１２の始動時及び始動完了後において、出力軸１３２に発生したトルクで複合型圧縮機２７が起動し、複合型圧縮機２７内の流体圧縮手段Ｐ１と冷媒圧縮手段Ｐ２が同期的に作動し、密閉動力サイクル１５とヒートポンプＨＰが互いに同期して起動する。この時、ヒートポンプＨＰにおいて、冷媒圧縮手段Ｐ２から吐出した超臨界冷媒（高温高圧ＣＯ２冷媒）Ｃｍｐは、放熱器ＥＶ２で低温低圧ＣＯ２作動流体と熱交換して放熱することにより高圧ＣＯ２冷媒を生成する。高圧ＣＯ２冷媒は第１膨張機４０Ａで減圧・膨張して第１動力を発生させながら低温低圧ＣＯ２冷媒Ｃｍｅとなる。この低温低圧ＣＯ２冷媒Ｃｍｅは冷却器４３（熱交換器ＥＶ１）で蒸発して冷熱（例えば、−１０℃：３ＭＰａ）を発生して膨張ガスＥｇを冷却する。一方、冷却器４３から吐出した低温低圧冷媒Ｃｍｏは予冷器ＥＶｏで膨張ガスＥｇとの熱交換により冷媒蒸気（低温低圧ＣＯ２冷媒）Ｃｍとなって複合型圧縮機２７の冷媒圧縮機手段Ｐ２に循環され、そこで圧縮されて超臨界冷媒Ｃｍｐとして再度、放熱器ＥＶ２に供給される。さらに、冷却器４３４から出た低温低圧ＣＯ２作動流体Ｗｆｏは放熱器ＥＶ２で超臨界冷媒Ｃｍｐから受熱して過熱蒸気からなる低温低圧ＣＯ２作動流体Ｗｆとして複合型圧縮機２７のインレット３５６Ａに流入して流体圧縮手段Ｐ１により圧縮され、以後、密閉動力サイクル１５が繰り返し、実行される。【００４６】  エネルギー変換装置１２の運転中に、蓄電ユニット２０の電圧信号Ｖｉ及び電流信号Ｉ１に基づいてコントローラ６０が、第１蓄電装置２２のＳＯＣ値が所定値以下と判断した場合には、コントローラ６０から指令信号が出力されて切替装置２６により第１蓄電装置２２から第２蓄電装置２３に切り替わって第２蓄電装置２３の蓄電電力がパルス電源２８に供給される。一方、コントローラ６０から指令信号が出力されて切替装置２４が作動して充電器２１が第１蓄電装置２２に接続されて第１蓄電装置２２の充電が開始される。そのため、集光型太陽光発電装置５０から供給された蓄電用電力により第１蓄電装置２２が充電される。天候不順若しくは夜間の時間帯になって集光型太陽光発電装置５０から供給された蓄電用電力が所定値以下になった場合には、コントローラ６０から指令信号が出力されて遮断器１９が作動してオルタネータ２５を充電器２１に接続する。その結果、太陽光の照射エネルギーが不十分であってもオルタネータ２５からの蓄電用電力が充電器２１を介して蓄電ユニット２０に供給される。したがって、蓄電ユニット２０は夜間であっても蓄電用電力が供給されるため、天候不順若しくは夜間の時間帯であってもエンタルピー増幅器を連続的に作動させることが可能となり、発電機の運転を続行することができる。【００４７】  以上、本発明の実施例による次世代太陽光発電方法及び装置が記載されたが、本発明はこの実施例に示された構成に限定されず、様々な変更が可能である。【００４８】（１）圧縮機は、複合型圧縮機からなるものとして説明したが、複合型圧縮機をそれぞれ      分離独立した作動流体圧縮機と冷媒圧縮機からなるように構成しても良い。
（２）圧縮機と回転式流体機械はいずれも単段式構造のものとして示されたが、これらは      必要に応じて複段式構造にしても良い。
【符号の説明】
【００４９】１２  エネルギー変換装置；１５  密閉動力サイクル；１６  出力装置；２０  蓄電ユニット（蓄電システム）；２１  充電器；２２，２３  第１、第２蓄電装置；２４、２６  第１、第２切替制御器；２５  発電機；２７  圧縮機（複合型回転式流体機械）；２８  パルス電源；３０  バッファアダンパー；３２  電磁弁；４０  回転式流体機械；４０Ａ  第１膨張機（第１回転式流体機械部）；４０Ｂ  第２膨張機（第２回転式流体機械部）；４２  エンタルピー増幅器；４３  冷却器；６０  コントローラ；ＨＰ  ヒートポンプ；ＥＶｏ  予冷器；ＥＶ１  冷却器（熱交換器）；ＥＶ２  放熱器
【図１】
2015017598.tif 000003
【図２】
2015017598.tif 000004
【図３】
2015017598.tif 000005